(57)【要約】【課題】構造が簡単で、しかも、決められた容量の洗浄水を長期間にわたり安定して確実に送り出せるようにする。【解決手段】給水管１６と接続可能な給水弁３及び小便器洗浄ノズル２１へ続く配管２３と接続可能な供給弁５とを備えた洗浄水押し出しシリンダ７内に、第１スプリング２７のばね圧で洗浄水押し出しシリンダ７内の洗浄水を押し出す作動位置と給水圧で後退する待機位置とに往復動自在とした第１のピストン９を設ける。また、前記第１のピストン９のピストン面９ａの裏面側に設けられた薬液押し出しシリンダ１１内に、第２スプリング５５のばね圧による後退時の吸引圧で薬液タンク１５内の薬液を送り込む待機位置と前記第１のピストン９の後退移動時にストッパ部材５９と当接し合い薬液を洗浄水押し出しシリンダ７内へ押し出す作動位置とに往復動自在とした第２のピストン１３を設ける。【選択図】図１
2008180071.tif 000002
【特許請求の範囲】
【請求項１】
給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられた薬液押し出しシリンダと、前記薬液押し出しシリンダ内に配置され前進、後退可能な第２のピストンと、前記薬液押し出しシリンダ内へ薬液を送り込むための別体に設けられた薬液タンクとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記第２のピストンは、第２スプリングによるばね圧で後退し後退時の吸引圧で薬液タンク内の薬液が薬液押し出しシリンダ内へ送り込まれる待機位置と前記第１のピストンの後退移動時にストッパ部材と当接して前進し洗浄水押し出しシリンダ内へ薬液を押し出す作動位置とに往復動自在に構成されていることを特徴とする小便器用洗浄水供給装置。
【請求項２】
給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられ別体に設けられた薬液タンクと連通し合う薬液押し出し用の電気式駆動ポンプとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記電気式駆動ポンプは、薬液タンク内の薬液を薬液押し出しシリンダ内へ送り込むオンの作動時と薬液の送り込みを停止するオフとにオン・オフ可能で、前記給水弁が開又は閉となった時に一定時間オンの作動状態となることを特徴とする小便器用洗浄水供給装置。
【請求項３】
給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられた薬液押し出しシリンダと、前記薬液押し出しシリンダ内に配置され前進、後退可能な第２のピストンと、前記薬液押し出しシリンダ内へ薬液を送り込むための別体に設けられた薬液タンクとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記第２のピストンは、前記第１のピストンの後退移動時にストッパ部材と当接して前進し、前進時の吸引圧で薬液タンク内の薬液が薬液押し出しシリンダ内へ送り込まれる待機位置と前記第１のピストンの前進移動にともない第２スプリングによるばね圧で後退する後退移動時に薬液押し出しシリンダ内の薬液を小便器洗浄ノズルへ続く配管へ押し出す作動位置とに往復動自在に構成されていることを特徴とする小便器用洗浄水供給装置。
【請求項４】
前記第１のピストンは、待機位置調整手段によってピストンのピストン軸線方向に沿ってそれぞれ異なる待機位置に位置決め可能となっていることを特徴とする請求項１，２，３のいずれかに記載の小便器用洗浄水供給装置。
【請求項５】
前記第１スプリングは、ばね圧が強くなる前進とばね圧が弱くなる後退とに前後進可能なスプリング圧調整手段によって支持されていることを特徴とする請求項１，２，３のいずれかは記載の小便器用洗浄水供給装置。
【請求項６】
前記ストッパ部材は、第２のピストンのピストン当り面へ向かう前進位置とピストン当り面から離れる後進位置とに前後進自在に支持されていることを特徴とする請求項１又は３のいずれかに記載の小便器用洗浄水供給装置。
【請求項７】
前記第１のピストンは、作動位置と待機位置とに往復動する往復動運動を発電機の発電シャフトに回転動力を与える動力駆動手段を備えていることを特徴とする請求項１，２，３のいずれかに記載の小便器用洗浄水供給装置。
【発明の詳細な説明】
【技術分野】
【０００１】
本発明は、小便器に適する小便器用洗浄水供給装置に関する。
【背景技術】
【０００２】
従来、小便器使用後は水を流すことが一般的となっている。通常一回に使用される水の量は４リットルとなっているが、近年節水タイプのものが発売されその使用量は１回あたり１．２〜２リットルとなっている。
【０００３】
水の使用量は、節水のことを考えると少ないことが望ましいが、水の使用量を少なくすると、例えば、小便器排水口にあるトラップ（配水管からの臭気の逆流を防ぐ水だまり）に溜まる尿と水の置換率低下によって菌が発生する要因となる。また、確実に流しきれず汚れや尿石発生により配管詰まりや臭気発生要素となりやすく、節水には限界があった。このために、薬液を用いる手段が公知となっている。（特許文献１参照）
薬液を用いる手段の概要は、薬液タンク及び供給タンクからなる薬液供給部と薬液供給部からの薬液と給水管からの水量を調整する開閉弁及び開閉弁を使用量に対応して開閉する制御装置とで水洗式小便器の薬剤溶液注入装置が構成されるようになっている。
【特許文献１】特開２００３−１５５７６８号公報
【発明の開示】
【発明が解決しようとする課題】
【０００４】
水洗式小便器において薬剤溶液注入装置の薬液供給部は、薬液タンク及び供給タンクの外にポンプを必要とする一方、開閉弁を開閉制御する独立した制御装置を必要とする等装置全体が複雑になると共にコストの面でも望ましくない。
【０００５】
そこで、本発明にあっては構造が簡単で、しかも、決められた容量の洗浄水を長期間にわたり安定して確実に送り出せるようにした小便器用洗浄水供給装置を提供することを目的とする。
【課題を解決するための手段】
【０００６】
前記目的を達成するために、本発明の第１にあっては、給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられた薬液押し出しシリンダと、前記薬液押し出しシリンダ内に配置され前進、後退可能な第２のピストンと、前記薬液押し出しシリンダ内へ薬液を送り込むための別体に設けられた薬液タンクとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記第２のピストンは、第２スプリングによるばね圧で後退し後退時の吸引圧で薬液タンク内の薬液が薬液押し出しシリンダ内へ送り込まれる待機位置と前記第１のピストンの後退移動時にストッパ部材と当接して前進し洗浄水押し出しシリンダ内へ薬液を押し出す作動位置とに往復動自在に構成されていることを特徴とする。
【０００７】
第２にあっては、給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられ別体に設けられた薬液タンクと連通し合う薬液押し出し用の電気式駆動ポンプとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記電気式駆動ポンプは、薬液タンク内の薬液を薬液押し出しシリンダ内へ送り込むオンの作動時と薬液の送り込みを停止するオフとにオン・オフ可能で、前記給水弁が開又は閉となった時に一定時間オンの作動状態となることを特徴とする。
【０００８】
第３にあっては、給水管と接続可能な給水弁及び小便器洗浄ノズルへ続く配管と接続可能な供給弁とを備えた洗浄水押し出しシリンダと、前記洗浄水押し出しシリンダ内に配置され前進、後退可能な第１のピストンと、前記第１のピストンのピストン面の裏面側部位に設けられた薬液押し出しシリンダと、前記薬液押し出しシリンダ内に配置され前進、後退可能な第２のピストンと、前記薬液押し出しシリンダ内へ薬液を送り込むための別体に設けられた薬液タンクとを有し、
前記第１のピストンは、第１スプリングによるばね圧で前進し洗浄水押し出しシリンダ内の洗浄水を供給弁を介して配管へ押し出す作動位置と前記給水弁を介して送り込まれる給水圧で後退する待機位置とに往復動自在に構成される一方、前記第２のピストンは、前記第１のピストンの後退移動時にストッパ部材と当接して前進し、前進時の吸引圧で薬液タンク内の薬液が薬液押し出しシリンダ内へ送り込まれる待機位置と前記第１のピストンの前進移動にともない第２スプリングによるばね圧で後退する後退移動時に薬液押し出しシリンダ内の薬液を小便器洗浄ノズルへ続く配管へ押し出す作動位置とに往復動自在に構成されていることを特徴とする。
【発明の効果】
【０００９】
本発明の第１によれば、給水弁が開になると洗浄水押し出しシリンダ内へ水道水が送り込まれると共にその給水圧によって第１のピストンが後退する。その後退移動時にまず第２のピストンのピストン当り面がストッパ部材と当接しその当接により薬液押し出しシリンダ内を前進する第２のピストンによって薬液を洗浄水押し出しシリンダ内へ押し出すことができる。この時、薬液タンクは別体に設けられているため、大きい容量にできるようになり薬液の補充サイクルを延長できるメリットが得られる。
【００１０】
また、薬液が送り込まれ水道水と混合した洗浄水押し出しシリンダ内の洗浄水は供給弁の開により給水圧の解除によって洗浄水押し出しシリンダ内を前進する第１のピストンにより小便器洗浄ノズルへ続く配管へ直接送り出すことができる。
【００１１】
しかも、第２のピストンは第１のピストンが後退する後退移動時に押し出し作用が働く一方、第１のピストンは第１スプリングのばね圧で押し出すため、従来用いられていたポンプや制御装置等が不要となり、コンパクトで構造簡単にできる。
【００１２】
また、洗浄水押し出しシリンダ内の洗浄水はシリンダ径とピストンの関係となるため正確な押し出量となるシリンダ容積の設計が可能となる。加えて、第１スプリングによるばね圧で押し出すため、水道圧の変動に影響されることなく常に正確な量の洗浄水を安定して送り出すことができる。
【００１３】
本発明の第２によれば、電気式駆動ポンプによって洗浄水押し出しシリンダ内へ薬液を正確に送り込むことができることは無論として、第１のピストンの内部空間内に電気式駆動ポンプが収納配置された構造によって装置全体のコンパクト化を図ることができる。
【００１４】
本発明の第３によれば、前記第１の作用、効果に加えて、少ない量の薬液を小便器洗浄ノズルへ続く配管へ確実に効率よく送り出すことができる。
【発明を実施するための最良の形態】
【００１５】
本発明を実施するにあたって第１に、前記第１のピストンを、待機位置調整手段によってピストンのピストン軸線方向に沿ってそれぞれ異なる待機位置に位置決め可能とすることで、前進させて洗浄水押し出しシリンダのシリンダ容積を小さくできるようにする。また、後退させてシリンダ容積を大きくし、シリンダ容積のコントロールができるようにすることが望ましい。
【００１６】
第２に、前記第１スプリングを、ばね圧が強くなる前進とばね圧が弱くなる後退とに前後進可能なスプリング圧調整手段によって支持することで、第１のピストンを押し出す押し出し力の調節が可能となり最適なばね圧による押し出し力が得られるようにすることが望ましい。
【００１７】
第３に、前記ストッパ部材を、第２のピストンのピストン当り面へ向かう前進位置とピストン当り面から離れる後進位置とに前後進自在に支持することで、薬液押し出しシリンダ内のシリンダ容積のコントロールができるようにすることが望ましい。
【００１８】
第４に、前記第１のピストンは、作動位置と待機位置とに往復動する往復動運動を発電機の発電シャフトに回転動力を与える動力駆動手動を備えるようにすることで、節水を図りながら発電機の発電シャフトに確実な回転動力を与えることができるようにすることが望ましい。
【００１９】
以下、図１乃至図６の図面を参照しながら本発明の第１実施形態について具体的に説明する。
【００２０】
図１は小便器用洗浄水供給装置の第１のピストンを後退させて待機位置とした概要説明図を示している。
【００２１】
小便器用洗浄水供給装置１は、給水弁３及び供給弁５とを備えた洗浄水押し出しシリンダ７と、前記洗浄水押し出しシリンダ７内に配置され前進、後退可能な第１のピストン９と、前記第１のピストン９のピストン面９ａの裏面側で中央部位に設けられた薬液押し出しシリンダ１１と、前記薬液押し出しシリンダ１１内に配置され前進、後退可能な第２のピストン１３と、前記薬液押し出しシリンダ１１内へ薬液を送り込むための薬液タンク１５とを有している。薬液タンク１５を除く装置全体は図６に示す如くユニットケース１６内に収納配置されている。
【００２２】
洗浄水押し出しシリンダ７は、シリンダ頭部７ａに前記した給水弁３及び供給弁５とを備えている。供給弁３は常時は閉状態にあって水道等の給水管１６に設けられた逆流防止用の逆止弁１７と着脱自在に接続される接続部１９を有している。供給弁５は常時は閉状態にあって小便器洗浄ノズル２１（図６参照）へ続く配管２３と着脱自在に接続される接続部２５を有している。洗浄水押し出しシリンダ７内を前進、後退する前記第１のピストン９は、第１スプリング２７によるばね圧で前進（図１矢印イ）し洗浄水押し出しシリンダ７内の洗浄水を供給弁５を介して配管２３へ押し出す作動位置（図２実線）と前記給水弁３を介して送り込まれる給水圧で後退（図１矢印ロ）する待機位置（図１実線）とに往復動自在となっている。
【００２３】
第１のピストン９の作動位置（図２実線）は、洗浄水押し出しシリンダ７内の洗浄水を外へ押し出す押し出し完了状態と、第１の検知スイッチＳ−１をオンとして図外の制御回路を介して前記給水弁３を開とする作用と供給弁５を閉とする作用の検知スイッチ作動位置となっている。
【００２４】
第１のピストン９の待機位置（図１実線）は、第１のピストン９が後退してシリンダカバー２９に当接した時に位置決めされる状態と、第２の検知スイッチＳ−２をオンとして前記給水弁３を閉とする検知スイッチ作動位置となっている。
【００２５】
第１の検知スイッチＳ−１は、図１に示す如く後述する薬液シリンダ開閉弁３０に設けられた磁石３１と洗浄水押し出しシリンダ７のシリンダ頭部７ａに設けられた磁力検知部３３とからなっている。したがって、第１のピストン９が前進し作動位置（図２実線）になった時に磁石３１の磁力を磁力検知部３３が検知することでオンとなり給水弁３を開に、供給弁５を閉にそれぞれ作動制御するようになっている。
【００２６】
第２の検知スイッチＳ−２は、図３に示す如くシリンダカバー２９に設けられた発光素子３５と受光素子３７からなる光電スイッチとなっている。したがって、第１のピストン９が後退し待機位置（図１実線）になった時にそのスカート部が発光素子３５と受光素子３７の間に進入し光を遮断することでオンとなり給水弁３を閉に作動制御するようになっている。供給弁５は図６に示す如くユニットケース１６の前面に設けられた人感センサのセンサ窓３８からの検知信号で開となり、前記した第１の検知センサＳ−１からの信号で閉に制御される。
【００２７】
シリンダカバー２９は、待機位置調整手段３８によってシリンダ容積が最大となる待機位置（図１実線）から、シリンダ容積が最小となる待機位置（図４実線）まで調整可能となっている。
【００２８】
具体的に説明すると、シリンダカバー２９は、前記洗浄水押し出しシリンダ７の外周に沿って配置された取付けスリーブ３９内を貫通する取付けねじ４１のねじ部４１ａに嵌挿され、外側のナット４３と内側の複数の調整リング４５とにより挟みつけられた状態で固定支持されている。
【００２９】
したがって、ナット４３を弛めることでシリンダカバー２９を取付けねじ４１から取外すことが可能となるため、例えば、調整リング４５を１つ又は２つ同時に取外すことで第１のピストン９の待機位置を例えば、図４に示すように前進させた位置に位置決めすることが可能となる。
【００３０】
これにより、第１のピストン９の待機位置を前後動させて位置決めすることで洗浄水押し出しシリンダ７のシリンダ容積（洗浄水を送り出す容量）の調整が必要に応じて行なえるようになっている。
【００３１】
第１のピストン９を付勢する前記第１スプリング２７は円錐状に形成されている。径が大きくなる第１スプリング２７の底辺側は前記第１のピストン９の固定座４７に、径が小さくなる第１スプリング２７の頂辺側は圧力調整ばね受け４９にそれぞれ固定支持され、供給弁５の開により洗浄水押し出しシリンダ７内の吸水圧が開除されることで、そのばね圧によって第１のピストン９を押圧する。
【００３２】
圧力調整ばね受け４９は、前記シリンダカバー２９に固定支持された内部が中空の円筒体５１のねじ部５１ａと螺合し、例えば、圧力調整ばね受け４９を右又は左へ回転させることで図１矢印ハの如く前進（ばね圧が強くなる）、あるいは、後退（ばね圧が弱くなる）により第１スプリング２７のばね圧力の調整が行えるようになる。
【００３３】
薬液押し出しシリンダ１１は、前記第１のピストン９のピストン面９ａの裏面側で中央部位に設けられ、その内部に前記した前進、後退可能な第２のピストン１３が設けられている。
【００３４】
薬液押し出しシリンダ１１は、そのシリンダ頭部となる第１のピストン９のピストン面９ａに前記した薬液シリンダ開閉弁３０が設けられている。薬液シリンダ開閉弁３０は、常時は付勢ばね５３により閉状態となっていて、第２のピストン１３のピストン圧によって開状態が確保されるようになっている。
【００３５】
第２のピストン１３は、第２スプリング５５によるばね圧で後退し後退時の吸引圧で薬液タンク１５内の薬液がチューブ管５７を介して薬液押し出しシリンダ内へ送り込まれる待機位置（図２実線）と前記第１のピストン９の後退移動時にストッパ部材５９と当接して前進（図１矢印イ）し洗浄水押し出しシリンダ７内へ薬液を押し出す作動位置（図１実線）とに往復動自在となっている。薬液タンク１５から延長されたチューブ管５７と薬液押し出しシリンダ１１との接続部は、図示していないが逆止弁が設けられ薬液押し出しシリンダ１１内の薬液がチューブ管５７へ逆戻りしないようになっている。
【００３６】
なお、薬液タンク１５の薬液は、消臭用薬剤の外に、芳香剤を組合せた組合せ薬液を用いてもよい。
【００３７】
また、チューブ管５７はシリンダカバー２９と薬液押し出しシリンダ１１との間において伸縮するところから図示の如く可撓性のコイル状５７ａとして伸縮に対応できる形状とすることが望ましい。
【００３８】
薬液押し出しシリンダ１１の第２スプリング５５は、薬液押し出しシリンダ１１の端面とフランジ状に形成された第２のピストン１３のピストン当り面１３ａとの間に介装され、第２のピストン１３を常時待機位置（図２実線）に付勢している。この時、設計値に基づくシリンダ径によって薬液押し出しシリンダ１１内のシリンダ容積が決定されると共に、第２のピストン１３が後退（図１矢印ロ）する時の吸引圧により前記したチューブ管５７を介して薬液タンク１５内の薬液が薬液押し出しシリンダ１１内へ吸い込まれるようになっている。薬液押し出しシリンダ１１内の薬液は、第１のピストン９が後退（図１矢印ロ）した時に第２のピストン１３のピストン当り面１３ａがストッパ部材５９に当接することで前進（図１矢印イ）しシリンダ内の薬液を洗浄水押し出しシリンダ７内へ押し出すように作用する。
【００３９】
ストッパ部材５９は、ボルト状に作られていて、前記シリンダカバー２９に設けられた取付け部材６１のナット部６３に対して前進、後退（図１矢印イ、ロ）自在に螺合し、ボルト頭部となる操作部５９ａを右回転又は左回転させることでストッパ位置Ｐの位置決めが可能となっている。
【００４０】
このように構成された洗浄水供給装置１によれば、薬液押し出しシリンダ１１は第２のピストン１３を含めて第１のピストン９内に収まるレイアウト構造となるため薬液タンク１５を除く装置全体がユニットケース１６内に収納配置されるためコンパクト化が図れると共に、既設の小便器６５の取付け壁面６６内に対して図６に示す如く容易に取付けることができる。この場合、図６のように前面に張り出した取付け壁面６６内へ取付ける埋込型であってもよく、あるいは、図示していないが全体を露出させた露出型であってもよい。
【００４１】
また、組付けにあたって操作部５９ａを操作してストッパ部材５９を前進又は後退させることで薬液押し出しシリンダ１１内の薬液量の調整が正確に行なえる。また、調整リング４５を取付けたり、取外すことで、第１のピストン９の待機位置（図１実線）を前進又は後退することが可能となり、洗浄水押し出しシリンダ７のシリンダ容積、即ち、洗浄水を配管２３へ押し出す洗浄水の押し出し量の調整が行なえる。
【００４２】
一方、センサ窓３８を介して人感センサが人を検知すると供給弁５を開とする。これにより、内部圧が解除され、第１スプリング２７のばね圧で薬液が混合された洗浄水は配管２３を介して小便器洗浄ノズル２１へ供給され洗浄が行われる。洗浄完了後、第１の検知センサＳ−１が作動し給水弁３を開とする。これにより送り込まれる給水圧によって第１のピストン９は後退する。この後退時に第２のピストン１３がストッパ部材５９と当接し合うと共にシリンダカバー２９と当接し待機位置（図１実線）に位置決めされる、と同時に給水管１６から洗浄水押し出しシリンダ７内に送り込まれた水道水は、ストッパ部材５９と当接し合う第２のピストン１３によって洗浄水押し出しシリンダ７から送り出された薬液と混合し合う待機状態となる動作を繰返す。これら一連の動作において液及び洗浄水は薬液押し出しシリンダ１１及び洗浄水押し出しシリンダ７によって制御管理されるため、長期間にわたり、安定した正確な量が得られるようになる。また、薬液タンク１５は別体としたため大きな容量に作ることが可能となり、薬液の補充サイクルを延長できるメリットが得られる。
【００４３】
図７は薬液を洗浄水押し出しシリンダ７内へ送り込む手段に電気式駆動ポンプとなる電磁ポンプ６７を用いた第２実施形態を示している。
【００４４】
即ち、前記第１のピストン９のピストン面９ａの裏面側で中央部に電気式駆動ポンプ６７を設け、第１のピストン９の内部に組込んだ構造となっている。
【００４５】
電磁ポンプ６７は、電磁コイル６９に電流が流れたオンの作動時にポンプ本体７１内の電磁弁（図示していない）を閉から開に作動し、オンの作動時間、吐出口７３から洗浄水押し出しシリンダ７内へ薬液を吐出するよう作用する。電磁弁は図示していないが電磁コイル６９への電流が遮断されたオフになると、コイルばね（図示していない）によって閉位置へ付勢される。この時、電磁弁の閉位置への移動時に吸引圧が発生し、この吸引圧によって薬液タンク１５からポンプ本体１７内に薬液が送り込まれ、薬液を吐出する待機状態が確保される。
【００４６】
電磁ポンプ６７は、給水弁３が開となってから一定時間オンの作動状態となり、オンの作動時間が薬液の吐出量となっている。
【００４７】
この場合、給水弁３が閉となってから一定時間オンの作動状態となる手段とすることも可能である。
【００４８】
電磁ポンプ６７のオンの作動時間は、センサ窓３８を介して人感センサが人を検知した検知信号と第１の検知センサＳ−１が検知した検知信号が制御回路部７５に入力される、制御回路部７５に組込まれたプログラムに基づき設定された薬液量、即ち、一定時間オンの作動状態に制御することが可能となっている。
【００４９】
なお、他の構成要素は図１と同一のため同一符号を付して詳細な説明を省略する。
【００５０】
したがって、この実施形態によれば、電磁ポンプ６７を一定時間オンの作動状態とすることで薬液を洗浄水押し出しシリンダ９内へ正確に吐出させることができる。
【００５１】
一方、電磁ポンプ６７は第１のピストン９の内部に収納配置される構造となるため装置全体のコンパクト化が図れるようになる。
【００５２】
なお、この実施形態では電気式駆動ポンプの一例とし電磁ポンプについて説明したが、圧電素子ポンプ、モーターポンプタイプであってもよい。
【００５３】
図８，図９，図１０は第３実施形態を示したもので、薬液を洗浄水押し出しシリンダ７内へ送り出すのではなく小便器洗浄ノズル２１へ続く配管２３へ直接送り込めるようにしたものである。
【００５４】
即ち、薬液押し出しシリンダ１１の第２のピストン１３は、洗浄水押し出しシリンダ７の第１のピストン９の後退移動時にストッパ部材５９と当接し前進する一方、前進した第２のピストン１３は第２スプリング５５によって後退移動することで往復動することは第１実施形態と同一であるが、本実施形態では前進移動時に薬液が送り込まれる待機位置（図８）の状態となる。また、後退移動時に薬液を送り出す作動位置（図１０）の状態となっている。
【００５５】
具体的には、図９に示す如く第２のピストン１３のピストン部１３−１の内側（図面左側）で、薬液押し出しシリンダ１１にボール状の開閉弁７７，７９を有する薬液取入口８１と薬液送り出し口８３がそれぞれ設けられ、薬液取入口８１は伸縮可能な可撓性のパイプ部５７ａが設けられたパイプ５７を介して薬液タンク１５と接続連通している。薬液送り出し口８３は伸縮可能な可撓性のパイプ部８５ａが設けられたパイプ８５を介して小便器洗浄水ノズル２１へ続く配管２３とそれぞれ接続連通している。
【００５６】
薬液取入口８１の開閉弁７７と薬液送り出し口８３の開閉弁７９には、シリンダ軸線Ｘから離れる方向へ付勢する付勢ばね８７とシリンダ軸線Ｘへ向けて付勢する付勢ばね８９がそれぞれ作用している。
【００５７】
薬液取入口８１の開閉弁７７は、シリンダ軸線Ｘと離れる方向へ付勢する付勢ばね８７により弁座８１ａと当接し合い閉の状態を確保している。弁座８１は第２のピストン１３がストッパ部材５９と当接し前進（図９矢印ａ）する時に薬液押し出しシリンダ１１内に働く吸引圧によって付勢ばね８７に抗して開閉弁７７が弁座８１ａから離れることで開となり、薬液が薬液押し出しシリンダ１１内に送り込まれる。この時、吸引圧は他方の薬液送り出し口８１の開閉弁７９を弁座８３ａに対して押し付ける作用となり、付勢ばね８９によるばね圧と相俟って閉状態が確保される構造となっている。
【００５８】
薬液送り出し口８３の開閉弁７９は、シリンダ軸線Ｘへ向けて付勢する付勢ばね８９により弁座８３ａと当接し合い閉の状態を確保している。弁座８３ａは第１のピストン７が第１スプリング２７による前進（図１０矢印ｂ）移動にともない第２スプリング５５のばね圧で後退する後退移動（矢印Ｃ）する時に薬液押し出しシリンダ１１内に働く押し出し力（ピストン圧）によって付勢ばね８９に抗して開閉弁７９が弁座８３ａから離れることで開となり、薬液が小便器洗浄ノズル２１へ続く配管２３へ直接送り出される。この時、押し出し力（ピストン圧）は他方の薬液取入口８１の開閉弁７７を弁座８１ａに対して押し付ける作用となり、付勢ばね８７によるばね圧と相俟って閉状態が確保される構造となっている。
【００５９】
なお、他の構成要素は第１実施例と同一のため同一符号を付して詳細な説明を省略する。
【００６０】
したがって、この第３実施形態によれば、第２のピストン１３が前進した待機位置（図８）の時、吸引圧によって薬液押し出しシリンダ１１内に薬液が送り込まれるようになる。
【００６１】
また、第２のピストン１３が後退した作動位置（図１０）の時、押し出し力によって薬液押し出しシリンダ１１内の薬液を小便器洗浄ノズル２１へ続く配管２３へ確実、正確に送り込めるようになる。
【００６２】
図１１，図１２は第４実施形態を示したもので、第１のピストン９の往復動運動を発電機９０の動力源として利用できるようにしたものである。
【００６３】
即ち、第１のピストン９に作動位置と待機位置とに往復動する往復運動を発電機９０の発電シャフト９１に回転動力を与える動力駆動手段９３を備える手段となっている。
【００６４】
動力駆動手段９３は、第１のピストン９の中心軸線Ｙに沿って作動ロッド９５が延長され、その作動ロッド９５の延長端側にラック９６が設けられている。ラック９６にはピニオン９７が噛み合い、最終の伝達ギヤ９８が発電機９０の発電シャフト９１に設けられたシャフトギヤ９９と噛み合う構造となっている。
【００６５】
伝達ギヤ９８のギヤ軸９８ａにはワンウェイクラッチ１０１が設けられ、ワンウェイクラッチ１０１は図１２に示す如く作動ロッド９６が外方へ向かって移動した時に動力が伝達されるオン状態となるクラッチ歯とクラッチ爪の関係となっている。したがって、図１１に示す如く作動ロッド９６が内側へ向かって移動した時に動力が遮断されるオフ状態となり、発電シャフト９１には常に一方向の回転動力が与えられるようになっている。
【００６６】
なお、他の構成要素は第３実施形態と同一のため同一符号を付して詳細な説明を省略する。
【００６７】
したがって、この第４実施形態によれば、第１のピストン９が往復動するたびに発電機９０の発電シャフト９１に回転動力を与えることができる。この時の発電は水流を利用する発電ではないために水を多量に使うことがないため、節水を図りながら確実な発電動力が得られる。しかも、水流を使う手段と異なり第１のピストン９の動きを利用する手段となるため強いトルクの発電動力が得られるようになる。
【図面の簡単な説明】
【００６８】
【図１】本発明にかかる小便器用洗浄水供給装置の第１のピストンを後退させて待機位置状態とした第１実施形態を示す概要説明図。
【図２】小便器用洗浄水供給装置の第１のピストンを前進させて作動位置状態とした概要説明図。
【図３】給水弁及び供給弁を開口制御する第１、第２の検知センサの取付け状態を示した概要説明図。
【図４】小便器用洗浄水供給装置の第１のピストンの待機位置を前方へ調整した状態を示す図１と同様の概要説明図。
【図５】図４の待機位置にある第１のピストンを前進させて作動位置とした図２と同様の概要説明図。
【図６】小便器用洗浄水供給装置を小便器の壁面内部に取付けた状態を示す概要説明図。
【図７】薬液を洗浄水押し出しシリンダ内へ送り込む手段に電磁ポンプを用いた図１と同様の第２実施形態を示す概要説明図。
【図８】第３実施形態を示した図１と同様の概要説明図。
【図９】第３実施形態を示した第２のピストンと薬液押し出しシリンダと開閉弁の関係をした概要説明図。
【図１０】第３実施形態を示した図２と同様の概要説明図。
【図１１】第１のピストンの往復時の状態を示した第４実施形態の概要説明図。
【図１２】第１のピストンの往復時の状態を示した第４実施形態の概要説明図。
【符号の説明】
【００６９】
３    給水弁
５    供給弁
７    洗浄水押し出しシリンダ
９    第１のピストン
９ａ    ピストン面
１１    薬液押し出しシリンダ
１３    第２のピストン
１５    薬液タンク
１６    給水管
１９，２５    接続部
２１    小便器洗浄ノズル
２３    配管
２７    第１スプリング
３８    待機位置調整手段
４９    圧力調整ばね受け（スプリング圧調整手段）
５５    第２スプリング
６７    電磁ポンプ
６９    電磁コイル
７１    ポンプ本体
７３    吐出口
７５    制御回路部
７７，７９  開閉弁
８１    薬液取入口
８１ａ  弁座
８３    薬液送り出し口
８３ａ  弁座
８７，８９  付勢ばね
９０    発電機
９１    発電シャフト
９３    動力駆動手段
【図１】
2008180071.tif 000003
【図２】
2008180071.tif 000004
【図３】
2008180071.tif 000005
【図４】
2008180071.tif 000006
【図５】
2008180071.tif 000007
【図６】
2008180071.tif 000008
【図７】
2008180071.tif 000009
【図８】
2008180071.tif 000010
【図９】
2008180071.tif 000011
【図１０】
2008180071.tif 000012
【図１１】
2008180071.tif 000013
【図１２】
2008180071.tif 000014